【事件の表示】
　特願２００２−２３００２５「画像処理装置」拒絶査定不服審判事件〔平成１６年　３月　４日出願公開、特開２００４−　７０７１５〕について、次のとおり審決する。
【結　論】
　本件審判の請求は，成り立たない。
【理　由】
第１　手続きの経緯
　本願は，平成１４年８月７日の出願であって，平成１９年３月９日付けで拒絶査定がされ，これに対し，同年４月１９日に拒絶査定に対する審判請求がなされるとともに，同年５月１６日付けで手続補正がなされたものである。
　
第２　手続補正の却下
　１　補正却下の決定の結論
　平成１９年５月１６日付けの手続補正を却下する。
　
　２　理由
　（１）　補正後の本願発明
　本件補正後の本願の発明は，平成１９年５月１６日付けで補正された特許請求の範囲の請求項１ないし１７に記載されたものと認められるところ，その請求項１に記載された発明（以下，「本願補正発明」という。）は，次のとおりのものである。
　
「【請求項１】
　撮影時における撮影情報を含む画像データに対して，選択された撮影シーンに適した画像処理を実行する画像処理装置であって，
　画像データを取得する画像データ取得手段と，
　撮影シーンに適した複数のシーン別画像処理条件を記憶する記憶手段と，
　前記選択された撮影シーンに適した前記シーン別画像処理条件を指定し，デジタルスチルカメラにおいて画像データに関連付けられるシーン別画像処理条件指定情報を前記取得された画像データから検索する検索手段と，
　前記撮影情報を用いて前記選択された撮影シーンを判定する撮影シーン判定手段と，
　前記シーン別画像処理条件指定情報が検索されなかった場合には，前記判定された撮影シーンに適切な前記シーン別画像処理条件を前記記憶手段から取得するシーン別画像処理条件取得手段と，
　前記取得されたシーン別画像処理条件を用いて前記画像データに対する画質調整処理を実行する画質調整手段とを備える画像処理装置。」
　
　本件補正は，平成１９年２月９日付け手続補正書により補正された特許請求の範囲の請求項１に記載した発明を特定するために必要な事項である「画像データ生成装置」を「デジタルスチルカメラ」に限定したものであり，かつ，補正後の請求項１に記載された発明は，補正前の請求項１に記載された発明と，産業上の利用分野及び解決しようとする課題が同一であるので，本件補正は，平成１８年法律第５５号改正附則第３条第１項によりなお従前の例によるとされる同法による改正前の特許法（以下，「平成１８年改正前特許法」という。）第１７条の２第４項第２号の特許請求の範囲の減縮を目的とするものに該当する。
　そこで，本件補正後の特許請求の範囲の請求項に記載された発明が特許出願の際独立して特許を受けることができるものであるか（平成１８年改正前特許法第１７条の２第５項において準用する同法第１２６条第５項の規定に適合するか）について以下に検討する。
　
　（２）　引用例
　原査定の拒絶の理由として引用された特開２００１−１８６２９７号公報（以下，「引用例１」という。）には，次の事項が図面と共に開示されている。（記載箇所は段落番号等で表示）
　
　ア　「【００２０】図３は画像処理モード設定部１２を取り出して示す図であり，「人物」，「風景」，「接写」，「動体」，「夜景」など被写体がどのような種類であるかによって，それに応じた画像処理モードを設定するための指示部として被写体対応の操作ボタンが設けられる。この被写体対応の操作ボタンとしては，人物ボタンＢ１，風景ボタンＢ２，接写ボタンＢ３，動体ボタンＢ４，夜景ボタンＢ５などが用意されている。また，これら被写体に関係なく自動で画像処理モードの選択を行わせるための自動選択ボタンＢ０も設けられている。この他，これら各種操作ボタンのいずれかを選択した後，印刷開始指示を行うための印刷ボタンＢｓが設けられている。
【００２１】次にこのような構成においてその動作を図４のフローチャートを参照しながら説明する。
【００２２】まず，ディジタルカメラなどで撮影済みのメモリカード１をフォトプリンタのカード挿入部１１に差し込む。これによって，フォトプリンタでは画像ファイルの読み込みを行い画像データを取得する（ステップｓ１）。そして，自動設定モードか否かを判定する（ステップｓ２）。この自動選択モードか否かは，画像処理モード設定部１２の自動選択ボタンＢ０がユーザによって押されたか否かで判定する。つまり，自動選択ボタンＢ０がユーザによって押されていれば自動選択モードであり，押されていなければ手動選択モードであると判定する。
【００２３】今，ユーザによって自動選択ボタンＢ０が押されていないとすれば，手動選択モードと判定し，どのような手動設定がなされているかを判定する（ステップｓ３）。つまり，人物ボタンＢ１，風景ボタンＢ２，接写ボタンＢ３，動体ボタンＢ４，夜景ボタンＢ５のうちのどのボタンが押されているかを判定する。そして，設定されているモードに従った画像処理を行う（ステップｓｓ７）。
【００２４】たとえば今，人物ボタンＢ１が押されているとすれば，人物を主体とした画像処理を行う。具体的には，肌色をよりきれいに見せるような画像処理を施したり，ピントの合っていない背景をぼかしたりする。また，風景ボタンＢ１が押されているとすれば，空の青や木々の緑をよりきれいに見せるような画像処理を施し，夜景ボタンＢ５が押されているとすれば，周囲の暗さと明かりの対比をより明確にするといった画像処理を施すというように，それぞれの被写体の種類に応じた最適な画像処理を施す。
【００２５】このように，それぞれの被写体に応じた画像処理が施され，その画像処理が施された画像データを用いて印刷処理を行う（ステップｓ８）。これにより，それぞれに被写体に対し最適な印刷結果が得られる。
【００２６】ところで，前述のステップｓ２における自動選択モードか否かの判定において，自動選択モードと判定された場合，すなわち，自動選択ボタンＢ０がユーザによって押されている場合は，自動選択モードと判定し，ステップｓ４，ｓ５，ｓ６の処理を行う。この自動選択モードでは，画像ファイル中に存在する被写体の種類を示唆する情報に基づいて画像処理モードを自動選択し，選択された画像処理モードによる画像処理を行って印刷可能なデータとして出力する。
【００２７】なお，ここでいう被写体の種類を示唆する情報とは，適切な被写体画像を得るために撮影時にカメラ側で設定される被写体の種類対応の撮影モード情報もしくは焦点距離や露出などの撮影パラメータと前記画像データを走査して得られる被写体の特徴を表す情報である。また，カメラ側で設定される被写体の種類対応の撮影モードとは，カメラで撮影を行うときに設定される撮影モードであり，カメラには撮影しようとする被写体に応じた設定が行えるようになっているものが多い。
【００２８】たとえば，人物を撮影する場合には，カメラに設けられた人物撮影モード設定を行って撮影を行い，風景を撮影しようとする場合には，風景撮影モード設定を行って撮影を行い，また，夜景を撮影しようとする場合には，夜景撮影モード設定を行って撮影を行い，また，動体を撮影しようとする場合には，動体影モード設定を行って撮影を行い，さらに，接写を撮影しようとする場合には，接写撮影モード設定を行って撮影を行うというように，それぞれの被写体対応の撮影モードの設定を行うことができるようになっており，このような撮影モード設定を行って撮影すれば，その被写体に対し最適な撮影が行えるようになっている。このような機能を持っているカメラで取り込んだデータには，取り込んだ画像データがどのような撮影モードで取り込まれたかの情報が，ＪＰＥＧなどの画像ファイル中に入っているのでそれを取得する。
【００２９】以下に，この自動設定モードの処理について説明する。
【００３０】まず，メモリカード１から読み込んだ画像ファイル中にカメラ側で設定された撮影モード情報が入っているか否かを判定し（ステップｓ４），カメラ側で設定された撮影モード情報が入っていれば，その撮影モード情報を取得して（ステップｓ５），その撮影モード情報に応じた画像処理を行う（ステップｓ７）。たとえば，ステップｓ１において取得したその画像ファイルの画像データに，カメラ側で設定された撮影モード情報として，人物撮影モード情報が入っているとすればそれを取得し，その人物撮影モードに対応した画像処理を行い，その画像処理されたデータを印刷処理する。これにより，肌色をよりきれいに見せるような処理やピントの合っていない部分をぼかすなどの画像処理が行われ，このような画像処理が行われた画像データを用いて印刷処理がなされる。
【００３１】また，前述のステップｓ４において，画像ファイル中にカメラ側で設定された撮影モード情報が入っていない場合には，画像ファイル中に保存されているカメラの撮影パラメータおよび実際の画像データに含まれる被写体の特徴を表す情報とから撮影モードを判定し（ステップｓ６），その判定結果を用いて画像処理を行う（ステップｓ７）。
【００３２】なお，ここでいうカメラの撮影パラメータというのは，その画像を取り込んだ時のカメラの焦点距離，シャッタスピード，露出値，フラッシュのＯＮ／ＯＦＦなどのデータであり，これらの情報はＪＰＥＧなどの画像ファイル中に存在している。また，実際の画像データに含まれる被写体の特徴を表す情報というのは，処理対象の画像データを走査して，その画像データにどのような色が多く存在しているか，全体的に暗いか明るいかなどを判断し，これらによってどのような撮影モードであるかを判定する。たとえば，焦点距離が遠方にあって，画像データ中に青い色や緑が多ければ，その画像は風景を撮影したものであるとして風景撮影モードであると判定し，肌色が多く焦点距離も比較的短い場合には人物を主体として撮影したものであるとして人物撮影モードであると判定する。
【００３３】このようにして撮影モードが判定されると，あとは前述したように，その撮影モードに応じた画像処理を行って，印刷処理をする（ステップｓ７，ｓ８）。」
　
　イ　「【００３６】なお，本発明は以上説明した実施の形態に限定されるものではなく，本発明の要旨を逸脱しない範囲で種々変形実施可能となるものである。たとえば，前述の実施の形態では，画像データ処理機能を有したフォトプリンタを用いた例について説明したが，これは，従来から一般的に用いられているプリンタで印刷する場合にも適用できるものである。この場合，画像データ処理はＰＣなどで行うことになるので，ＰＣ側にこれまでの説明した画像処理を行わせる機能を持たせるようにすればよい。
【００３７】また，被写体の種類は前述の実施の形態では，「人物」，「風景」，「接写」，「動体」，「夜景」とし，これらに対応した画像処理モードを用意した例について説明したが，被写体の種類はこれら以外にも設定することができ，それぞれの被写体に応じた画像処理モードを用意することができる。」
　
　ウ　「【００３９】
【発明の効果】以上説明したように本発明によれば，被写体の種類に基づいた画像処理モードを選択し，選択された画像処理モードに基づき前記画像ファイル中の画像データに対し画像処理を施している。これによって，被写体の種類に応じた最適な画像処理が施され，その被写体に最適な印刷結果が得られる。
【００４０】また，どのような画像処理モードとするかはユーザの指示によって選択可能としている。たとえば，ユーザが被写体の種類対応に用意された操作部（具体的には，「人物」，「風景」など被写体の種類に応じた操作ボタン）を択一的に指示した場合は，ユーザ指示に応じた画像処理モードが選択され，その選択された画像処理モードによる画像処理を行って印刷可能なデータとして出力する。また，ユーザが自動選択を行うための操作部（たとえば，「自動」という操作ボタン）をユーザが指示した場合は，画像ファイル中に存在する被写体の種類を示唆する情報（適切な被写体画像を得るために撮影時にカメラ側で設定される被写体の種類対応の撮影モード情報もしくは焦点距離や露出などの撮影パラメータおよび前記画像データを走査して得られる被写体の特徴を表す情報）に基づいて画像処理モードを自動選択し，選択された画像処理モードによる画像処理を行って印刷可能なデータとして出力する。このように，操作ボタンなどをユーザが指示するだけで，簡単に被写体に最適な画像処理モードを選択することができ，それによって被写体に応じた最適な画像データ処理が行える。
【００４１】なお，ユーザ指示によって画像処理モードが自動選択とされた場合は，画像ファイル中にカメラ側で設定された撮影モード情報が存在するか否かを見て，撮影モード情報が存在する場合は，その撮影モード情報に基づいて画像処理モードを選択し，撮影モード情報が存在しない場合は，画像ファイル中の撮影パラメータと画像ファイル中の画像データに含まれる被写体の特徴を表す情報とを用いて画像処理モードを選択するようにしている。このように，画像ファイル中に撮影モード情報が存在する場合は，その撮影モードに基づいて画像処理モードが選択されるので，被写体に応じた最適な画像処理モードを自動的に選択することができ，また，画像ファイル中に撮影モードが存在しない場合でも，撮影パラメータ（焦点距離や露出など）と画像データに含まれる被写体の特徴を表す情報とに基づいて画像処理モードを選択することができるので，被写体に応じた最適な画像処理モードを自動的に選択することができる。」
　
　前掲アないしウの記載及び図面によると，引用例１には，
　
「撮影時にディジタルカメラ側で設定される被写体対応の撮影モード情報および焦点距離や露出などの撮影パラメータがＪＰＥＧなどの画像ファイル中に入っており，この画像ファイル中に保存されているディジタルカメラの撮影モード情報又は撮影パラメータから撮影モードを判定し，撮影モードが判定されると，その撮影モードに応じた画像処理を行うフォトプリンタであって，
　被写体の種類を「人物」，「風景」，「接写」，「動体」，「夜景」とし，これらに対応した画像処理モードを用意し，
　ディジタルカメラで撮影済みのメモリカードをフォトプリンタのカード挿入部に差し込み，画像ファイルを読み込み，
　画像処理モード設定部の自動選択ボタンが押されたか否かによって，自動選択モードか否かを判定し，
　自動選択ボタンが押されていない場合は手動選択モードと判定し，どのような手動設定がなされているか，たとえば，人物ボタンが押されているとすれば，肌色をよりきれいに見せるような画像処理を施したり，ピントの合っていない背景をぼかしたりし，風景ボタンが押されているとすれば，空の青や木々の緑をよりきれいに見せるような画像処理を施し，夜景ボタンが押されているとすれば，周囲の暗さと明かりの対比をより明確にするといった画像処理を施し，
　自動選択ボタンが押されている場合は自動選択モードと判定し，メモリカードから読み込んだ画像ファイル中に撮影モード情報が入っているか否かを判定し，
　撮影モード情報が入っていれば，その撮影モード情報を取得して，その撮影モードに応じた画像処理，たとえば，撮影モード情報として，人物撮影モード情報が入っているとすれば，肌色をよりきれいに見せるような処理やピントの合っていない部分をぼかすなどの画像処理が行われ，
　画像ファイル中に撮影モード情報が入っていない場合は，画像ファイル中に保存されている撮影パラメータおよび実際の画像データに含まれる被写体の特徴を表す情報とから撮影モードを判定し，その撮影モードに応じた画像処理を行うフォトプリンタ。」
　
の発明（以下，「引用発明」という。）が記載されていると認められる。
　
　（３）　対比
　本願補正発明と引用発明とを対比する。
　引用発明の「撮影時にディジタルカメラ側で設定される」「焦点距離や露出などの撮影パラメータ」は，本願補正発明の「撮影時における撮影情報」に相当する。
　引用発明の「画像ファイル」は，その中に前記「撮影パラメータ」が入っているものであるから，本願補正発明の，「撮影時における撮影情報を含む画像データ」に相当する。
　引用発明の「被写体の種類」は，「人物」，「風景」，「接写」，「動体」，「夜景」を表すものであるから，夕景，夜景，ポートレートといったものを表す本願補正発明の「撮影シーン」に相当する。
　引用発明の「撮影モード」は，ディジタルカメラ側で「人物」，「風景」，「接写」，「動体」，「夜景」といった「被写体の種類」に対応して設定されるものであるから，引用発明の「撮影モードに応じた画像処理を行」うことは，本願補正発明の「選択された撮影シーンに適した画像処理を実行する」ことに相当する。
　引用発明の「画像処理を行うフォトプリンタ」は，本願補正発明の「画像処理装置」に相当する。
　したがって，引用発明の「撮影時にディジタルカメラ側で設定される」「焦点距離や露出などの撮影パラメータがＪＰＥＧなどの画像ファイル中に入っており，この画像ファイル中に保存されているディジタルカメラの」「撮影パラメータから撮影モードを判定し，撮影モードが判定されると，その撮影モードに応じた画像処理を行うフォトプリンタ」は，本願補正発明の「撮影時における撮影情報を含む画像データに対して，選択された撮影シーンに適した画像処理を実行する画像処理装置」に相当する。
　
　引用発明の「カード挿入部」は，「ディジタルカメラで撮影済みのメモリカード」を差し込み，画像ファイルを読み込」むものであるから，本願補正発明の「画像データを取得する」ことに相当し，このような処理を行う「画像データ取得手段」に相当する構成は，引用発明においても，当然備えているものといえる。
　
　引用発明は「被写体の種類を「人物」，「風景」，「接写」，「動体」，「夜景」とし，これらに対応した画像処理モードを用意し」ておくものであるから，各画像処理モードで行われる画像処理，たとえば，「人物」撮影モードの場合，肌色をよりきれいに見せるような処理やピントの合っていない部分をぼかすなどといった処理条件が，本願補正発明の「シーン別画像処理条件」に相当する。そして，引用発明は「画像処理モードを用意し」ておくものであるから，このような条件を，予めフォトプリンタ内の記憶手段に記憶していることは明らかである。
　したがって，引用発明には，本願補正発明の「撮影シーンに適した複数のシーン別画像処理条件を記憶する記憶手段」に相当する構成の存在が認められる。
　
　引用発明の「撮影モード情報」は，被写体の種類に対応した情報であるから，引用発明の「撮影モード情報」と本願補正発明の「シーン別画像処理指定情報」とは，「シーンに関連する情報」である点で共通する。また，引用発明の「撮影モード情報」は，撮影時にディジタルカメラ側で設定されるものであり，また引用発明のフォトプリンタは，この撮影モード情報を読み込んだ画像ファイル中に入っているか否かを判定，つまり検索するものといえるから，引用発明と本願補正発明とは「デジタルスチルカメラにおいて画像データに関連付けられるシーンに関連する情報を取得された画像データから検索する」点で共通し，このような処理を行う「検索手段」に相当する構成は，引用発明においても，当然備えているものといえる。
　
　引用発明の「画像ファイル中に保存されている撮影パラメータ」から「撮影モードを判定」することは，本願補正発明の「撮影情報を用いて選択された撮影シーンを判定する」ことに相当するものであって，このような処理を行う「撮影シーン判定手段」に相当する構成は，引用発明においても，当然備えているものといえる。
　
　引用発明は「画像ファイル中に撮影モード情報が入っていない場合」に「画像ファイル中に保存されている撮影パラメータおよび実際の画像データに含まれる被写体の特徴を表す情報とから撮影モードを判定し，その撮影モードに応じた画像処理を行う」ものであって，撮影モードに応じた画像処理の条件は，前記のようにフォトプリンタ内に記憶されていることは明らかであるから，引用発明と本願補正発明とは「シーンに関連する情報が検索されなかった場合には，（撮影情報を用いて）判定された撮影シーンに適切なシーン別画像処理条件を記憶手段から取得する」点で共通するものといえ，このような処理を行う「シーン別画像処理条件取得手段」は，引用発明においても，当然備えているものといえる。
　
　引用発明の，撮影モードに応じた「画像処理」とは，たとえば，人物撮影モードの場合，肌色をよりきれいに見せるような処理やピントの合っていない部分をぼかすなどの画像処理であって，これは画像の画質を調整していることに他ならないから，本願補正発明の「画質調整処理」に相当する。
　したがって，引用発明の「撮影モードを判定し，その撮影モードに応じた画像処理を行う」ことは，本願補正発明の「取得されたシーン別画像処理条件を用いて画像データに対する画質調整処理を実行する」ことに相当し，このような処理を行う「画質調整手段」は，引用発明においても，当然備えているものといえる。
　
　以上を踏まえると，両者の一致点，相違点は以下のとおりである。
　
【一致点】
　撮影時における撮影情報を含む画像データに対して，選択された撮影シーンに適した画像処理を実行する画像処理装置であって，
　画像データを取得する画像データ取得手段と，
　撮影シーンに適した複数のシーン別画像処理条件を記憶する記憶手段と，
　デジタルスチルカメラにおいて画像データに関連付けられるシーンを表す情報を前記取得された画像データから検索する検索手段と，
　前記撮影情報を用いて前記選択された撮影シーンを判定する撮影シーン判定手段と，
　前記シーン別画像処理条件指定情報が検索されなかった場合には，前記判定された撮影シーンに適切な前記シーン別画像処理条件を前記記憶手段から取得するシーン別画像処理条件取得手段と，
　前記取得されたシーン別画像処理条件を用いて前記画像データに対する画質調整処理を実行する画質調整手段とを備える画像処理装置。
　
【相違点】
　シーンに関する情報として，本願補正発明が「選択された撮影シーンに適したシーン別画像処理条件を指定」する「シーン別画像処理条件指定情報」であるのに対して，引用発明が，ディジタルカメラ側で設定される被写体の種類に対応した「撮影モード情報」である点。
　
　（４）　当審の判断
　上記相違点について検討する。
　引用発明の「撮影モード情報」は，ディジタルカメラで撮影を行う時に，撮影しようとする被写体の種類に対応して設定されるものであって，その被写体に対して最適な撮影が行えるような撮影条件である一方，当該引用発明においては，フォトプリンタで，この撮影モードが人物撮影モードであれば，肌色をよりきれいに見せるような画像処理を施したり，ピントの合っていない背景をぼかしたりといった画像処理を施し，風景撮影モードであれば空の青や木々の緑をよりきれいに見せるような画像処理を施し，夜景撮影モードであれば，周囲の暗さと明かりの対比をより明確にするといった画像処理を施すような，フォトプリンタで施される画像処理の内容，条件を指定するものとなっている。
　つまり，引用発明の「撮影モード情報」は，「人物」，「風景」，「接写」，「動体」，「夜景」といった被写体の種類，つまり撮影シーンに適した被写体の種類（撮影シーン）別の画像処理条件を指定する情報という点で，本願補正発明と一致するものである。
　したがって，引用発明であるフォトプリンタにおいて，「撮影モード情報」を，撮影条件情報としてではなく，シーン別画像処理条件を指定する情報として取り扱うことに，格別な点はない。
　
　また，本願発明の奏する効果について検討する。本願発明の効果として，例えば，当初明細書等の段落【０００７】に「より多くの画像データに対して撮影時の撮影シーンに適した画像処理を実行することができる」記載されているが，当該効果は，撮影モードに応じた画像処理を施す引用発明からも，当然に予想される効果であって相違点によって新たな効果を奏するものではない。
　
　したがって，本願補正発明は，引用例１に記載された発明に基づいて，当業者が容易に発明をすることができたものであるから，特許法２９条第２項の規定により特許出願の際独立して特許を受けることができないものである。
　
　（５）　むすび
　以上のとおり，本件補正は，平成１８年改正前特許法第１７条の２第５項において準用する同法第１２６条第５項の規定に違反するので，同法第１５９条第１項において読み替えて準用する同法第５３条第１項の規定により却下すべきものである。
　
第３　本願発明について
　１　本願発明
　平成１９年５月１６日付けの手続補正は上記のとおり却下されたので，本願の請求項１に係る発明（以下，「本願発明」という。）は，平成１９年２月９日付けで補正された特許請求の範囲の請求項１に記載された以下のとおりのものである。
　
「【請求項１】
　撮影時における撮影情報を含む画像データに対して，選択された撮影シーンに適した画像処理を実行する画像処理装置であって，
　画像データを取得する画像データ取得手段と，
　撮影シーンに適した複数のシーン別画像処理条件を記憶する記憶手段と，
　前記選択された撮影シーンに適した前記シーン別画像処理条件を指定し，画像データ生成装置において画像データに関連付けられるシーン別画像処理条件指定情報を前記取得された画像データから検索する検索手段と，
　前記撮影情報を用いて前記選択された撮影シーンを判定する撮影シーン判定手段と，
　前記シーン別画像処理条件指定情報が検索されなかった場合には，前記判定された撮影シーンに適切な前記シーン別画像処理条件を前記記憶手段から取得するシーン別画像処理条件取得手段と，
　前記取得されたシーン別画像処理条件を用いて前記画像データに対する画質調整処理を実行する画質調整手段とを備える画像処理装置。」
　
　２　引用例
　引用例１及びその記載事項は，前記「第２　２　（２）」の項で認定したとおりである。
　
　３　対比・判断
　本願発明は，前記「第２」で検討した本願補正発明から前記「第２　２　（１）」に記載した限定事項を省いたものである。
　そうすると，本願発明の発明特定事項をすべて含み，さらに発明特定事項を限定したものに相当する本願補正発明が前記「第２　２　（３）」，「第２　２　（４）」に記載したとおり，引用例１に記載された発明に基づいて，当業者が容易に発明をすることができたものであるから，本願発明も，同様の理由により，引用例１に記載された発明に基づいて，当業者が容易に発明することができたものである。
　
　４　むすび
　以上のとおり，本願発明は，引用例１に記載された発明に基づいて，当業者が容易に発明をすることができたものであるから，特許法第２９条第２項の規定により特許を受けることができない。
　したがって，本願は，他の請求項について検討するまでもなく，拒絶すべきものである。
　よって，結論のとおり審決する。